(57)【要約】【課題】配線コードのみならず雨樋のような管体をも内部に収納でき、かつその収納作業を簡便に行うことができる骨格材およびこれを用いた建屋を提供する。【解決手段】骨格材１は、開放側を外向きにして骨格材１の全長にわたって延びる凹部４を有する骨格材本体２と、凹部４を閉鎖するように骨格材本体２の側面に装着され、該骨格材本体２との間に全長にわたって延びる収容空間Ｓを形成するカバー４と、を備える。【選択図】図１
2018003340.tif 000002
【特許請求の範囲】
【請求項１】
骨格材において、
開放側を外向きにして前記骨格材の全長にわたって延びる凹部を有する骨格材本体と、
前記凹部を閉鎖するように前記骨格材本体の側面に装着され、該骨格材本体との間に全長にわたって延びる収容空間を形成するカバーと、を備えることを特徴とする骨格材。
【請求項２】
前記骨格材本体は金属の押出形材からなることを特徴とする請求項１に記載の骨格材。
【請求項３】
前記骨格材本体は、互いに離間しかつ平行に延びる一対のフランジ部分と、該一対のフランジ部分を連結するウェブ部分とを有する断面Ｈ字形の部材であり、前記ウェブ部分を挟んで２つの前記収容空間が配置されていることを特徴とする請求項１又は２に記載の骨格材。
【請求項４】
前記２つの収容空間のうち一方は配線コード用であり、他方は管体用であることを特徴とする請求項３に記載の骨格材。
【請求項５】
前記管体用の収容空間内に管体を保持する保持具を備えることを特徴とする請求項４に記載の骨格材。
【請求項６】
前記骨格材本体は断面Ｈ字形の中空部を囲繞する壁で構成されることを特徴とする請求項３から５までのいずれか一項に記載の骨格材。
【請求項７】
前記各フランジ部分はその先端部にアンダーカットを有し、
前記カバーは、前記骨格材本体への装着状態で前記凹部側を向くその内面に突設され前記フランジ部分の前記アンダーカットに着脱自在に嵌合する係止片を有することを特徴とする請求項３から６までのいずれか一項に記載の骨格材。
【請求項８】
前記各フランジ部分は、前記アンダーカットの外側に前記骨格材本体の全長にわたって延びる突条を有し、該突条には前記カバーの側端部が載置されるシート面が形成されていることを特徴とする請求項７に記載の骨格材。
【請求項９】
請求項１から８までのいずれか一項に記載の骨格材で構成される柱材と、請求項１から８までのいずれか一項に記載の骨格材で構成される横架材と、前記柱材と前記横架材、前記横架材同士または前記柱材同士を連結するジョイント材とを備え、該ジョイント材を介して、前記柱材内の収容空間と前記横架材の収容空間、前記横架材の収容空間同士または前記柱材の収容空間同士が連通されていることを特徴とする建屋。
【発明の詳細な説明】
【技術分野】
【０００１】
本発明は、骨格材およびこれを用いた建屋に関するものである。
【背景技術】
【０００２】
一般に住宅等の建屋を構成する柱材や梁材等の骨格材には、木材や鉄骨が用いられている。しかし、木材を用いた骨格材は、材料自在に重量があるとともに虫食いによる劣化や腐食による強度低下という問題がある。
【０００３】
また、鉄骨は木材よりも更に重量が増すため施工性が悪く、予め塗装等の防錆処理も必須であるため、加工コストが嵩むという問題がある。
【０００４】
一方、最近では、金属、特にアルミニウムまたはアルミニウム合金（以下、単にアルミという。）製の押出形材からなる骨格材も使用されるようになり、アルミの押出形材からなる骨格材は軽量でかつ耐食性に優れているため、公園やバス停留所等に設置される屋根付きのシェルターやカーポートのような屋外に設置されて雨風に直接晒される簡易建屋に用いられることも多い。
【０００５】
また、押出形材は形状自由度が高く中空形状とするのも容易であるため、このような中空形状とした骨格材の内部に照明装置等の電気設備の配線コードを収容すれば、配線コードを露出させずに済むため美観を向上させることができる。例えば、下記特許文献１では、アルミの押出形材からなる柱状体を中空に形成し、この内部に配線コードを収容することが提案されている。
【先行技術文献】
【特許文献】
【０００６】
【特許文献１】特開平９−２２８５４９号公報
【発明の概要】
【発明が解決しようとする課題】
【０００７】
しかし、特許文献１に記載されるような外周壁が連続した閉鎖断面形状を有する柱状体において配線コードを内部に収容するには通常、配線コードを柱状体の長手方向の一端側の開口から挿入し他端側の開口から引き出すという煩雑な作業が必要であり、特に柱状体が長くなればなるほどその煩雑さは増す。
【０００８】
また、上述したような簡易建屋においても屋根からの雨水を地面または排水路に導くための雨樋を敷設することがあるが、特許文献１に記載されたような閉鎖断面形状の柱状体では、建屋構築後、つまり柱状体の組み立て後では雨樋のような剛性の管体を内部に挿通させることはできない。そのため従来では、雨樋は柱状体の側面に保持金具等で固定するほかなく、美観に関して改良の余地がある。
【０００９】
それ故本発明の目的は、配線コードのみならず雨樋のような管体をも内部に収納でき、かつその収納作業を簡便に行うことができる骨格材およびこれを用いた建屋を提供することにある。
【課題を解決するための手段】
【００１０】
本発明は上記課題を解決するためになされたものであり、本発明は、骨格材において、
開放側を外向きにして前記骨格材の全長にわたって延びる凹部を有する骨格材本体と、
前記凹部を閉鎖するように前記骨格材本体の側面に装着され、該骨格材本体との間に全長にわたって延びる収容空間を形成するカバーと、を備えることを特徴とするものである。
【００１１】
なお、本発明の骨格材にあっては、前記骨格材本体は金属の押出形材からなることが好ましい。
【００１２】
また、本発明の骨格材にあっては、前記骨格材本体は、互いに離間しかつ平行に延びる一対のフランジ部分と、該一対のフランジ部分を連結するウェブ部分とを有する断面Ｈ字形の部材であり、前記ウェブ部分を挟んで２つの前記収容空間が配置されていることが好ましい。
【００１３】
さらに、本発明の骨格材にあっては、前記２つの収容空間のうち一方は配線コード用であり、他方は管体用であることが好ましい。
【００１４】
さらに、本発明の骨格材にあっては、前記管体用の収容空間内に管体を保持する保持具を備えることが好ましい。
【００１５】
さらに、本発明の骨格材にあっては、前記骨格材本体は断面Ｈ字形の中空部を囲繞する壁で構成されることが好ましい。
【００１６】
さらに、本発明の骨格材にあっては、前記各フランジ部分はその先端部にアンダーカットを有し、
前記カバーは、前記骨格材本体への装着状態で前記凹部側を向くその内面に突設され前記フランジ部分の前記アンダーカットに着脱自在に嵌合する係止片を有することが好ましい。
【００１７】
さらに、本発明の骨格材にあっては、前記各フランジ部分は、前記アンダーカットの外側に前記骨格材本体の全長にわたって延びる突条を有し、該突条には前記カバーの側端部が載置されるシート面が形成されていることが好ましい。
【００１８】
また、上記課題を解決する本発明の建屋は、上記いずれか記載の骨格材で構成される柱材と、上記いずれか記載の骨格材で構成される横架材と、前記柱材と前記横架材、前記横架材同士または前記柱材同士を連結するジョイント材とを備え、該ジョイント材を介して、前記柱材内の収容空間と前記横架材の収容空間、前記横架材の収容空間同士または前記柱材の収容空間同士が連通されていることを特徴とするものである。
【発明の効果】
【００１９】
本発明の骨格材によれば、骨格材本体に開放側を外向きにして骨格材の全長にわたって延びる凹部を設け、配線コードや管体等を骨格材本体の側面側から入れ込めるようにしたので、建屋構築の前後を問わず配線コードや管体等の収納作業を簡便に行うことができるようになり、さらに当該凹部をカバーで閉鎖することで美観を向上させることができるとともに、内部の配線や管体を雨水等から保護することができる。また、本発明の建屋によれば、建屋構築の前後を問わず配線コードや管体を建屋内で自由にかつ外部から見えないように張り巡らせることができる。
【図面の簡単な説明】
【００２０】
【図１】本発明の一実施形態の骨格材を示す斜視図である。
【図２】図１に示した骨格材を一部に用いて構築された、本発明の一実施形態の建屋の斜視図である。
【図３】図２の建屋におけるジョイント材を示す斜視図である。
【図４】図２の建屋における柱材をカバーを省略した状態で示し、（ａ）は側面図であり、（ｂ）は背面図である。
【図５】図４（ａ）中のＡ−Ａ線に沿う断面図である。
【発明を実施するための形態】
【００２１】
以下、本発明の実施の形態を図面に基づき詳細に説明する。
【００２２】
図１は、本発明の一実施形態の骨格材１を示す斜視図であり、この骨格材１は、建屋の柱材の他、梁材や桁材等の横架材に用いられるものであり、真っ直ぐ延びる骨格材本体２と、この骨格材本体２の側面（図示例では４面）に装着されるカバー３とを備え、カバー３が装着された状態での骨格材１の横断面の外形形状は矩形である。
【００２３】
骨格材本体２は、互いに離間しかつ平行に延びる一対のフランジ部分２ａと、該一対のフランジ部分２ａの中間部同士を連結するウェブ部分２ｂとを一体に有する断面Ｈ字形であり、フランジ部分２ａとウェブ部分２ｂとによって、開放側を外向きにして骨格材本体２の全長にわたって延びる２つの凹部４が区画されている。凹部４はカバー３によって閉鎖されて収容空間Ｓとなる。本実施形態では、骨格材１内には骨格材本体２のウェブ部分２ｂを隔てて２つの収容空間Ｓが形成される。
【００２４】
骨格材本体２は、金属、特にアルミの押出形材で構成することができ、アルミ押出形材の材料としては、Ａ６０６１Ｓ−Ｔ６、Ａ６Ｎ０１Ｓ−Ｔ５、Ａ６Ｎ０１Ｓ−Ｔ６などを用いることができる。
【００２５】
また、本実施形態において骨格材本体２は、断面Ｈ字形の中空部を囲繞する壁で構成されており、壁の厚みは例えば３〜１０ｍｍとすることができる。当該壁は、具体的には主に、ウェブ部分に対応する一対の中央壁部６，７と、各中央壁部６，７の両端部において垂直かつ他方の中央壁部７，６から離れる方向に延出し中央壁部６，７と協働して凹部４を形成する内壁部８，９，１０，１１と、各内壁部８，９，１０，１１の先端において凹部４を介して対向する他方の内壁部９，８，１１，１０に対して離間する方向に延出する先端壁部１３，１４，１５，１６と、図１において右側または奥側に位置する一方の先端壁部１３，１４および図１において左側または手前側に位置する他方の先端壁部１５，１６間を連結するとともに内壁部８，９，１０，１１と平行に延びる一対の外壁部１８，１９とからなる。
【００２６】
各フランジ部分２ａの外側角部、すなわち先端壁部１３，１４，１５，１６および外壁部１８，１９の各交差部分にはこれらの壁部１３，１４，１５，１６，１８，１９に対して約１３５°の角度をもって突出しかつ骨格材本体２の全長にわたって延びる突条２１が形成されている。また、突条２１の突出方向を対称軸として、先端壁部１３，１４，１５，１６および外壁部１８，１９の対称位置にはカバー３を保持するアンダーカット２２，２３がそれぞれ形成されている。「アンダーカット」とは、カバー３の後述する係止片２６を掛かり留める凸状または凹状の部分を意味する。このように、突条２１を設けてこれにカバー３を保持させることによりカバー３と骨格材本体２の外壁部１８，１９との間に隙間を形成してこの隙間内に骨格材１を組み立てる際に用いるボルト等の締結具の頭部を収めることができる。
【００２７】
また、突条２１の側面には、該突条２１の先端面に対して基部側に一段下がって位置し、カバー３の側端部が載置されるシート面２４，２５がそれぞれ形成されている。シート面２４，２５は、カバー３をシート面２４，２５に載置した際にカバー３の外面と突条２１の上記先端面とが同一平面に位置する高さに形成することが好ましい。これにより、美観性を高めることができる。さらに、このシート面２４，２５に例えばテープ状のシール材（図示省略）を貼り付けておいてもよく、これによれば収容空間Ｓの密封性を高め、収容空間Ｓ内への雨水の浸入を防ぐことができる。
【００２８】
カバー３は、骨格材本体２と同一またはそれ未満の長さを有する薄板帯状の部材であり、骨格材本体２と同種のアルミ押出形材、あるいは他の金属製、セラミックス製、プラスチック製、繊維強化プラスチック製または木製等の板材を用いることができる。また、カバー３をアルミ押出形材または金属製の板材から製作する場合には、外面に合成樹脂層（図示省略）を設けることができる。合成樹脂層は例えば焼付塗装により形成することができる。このような合成樹脂層を設けることにより骨格材１の防食性および装飾性を高めることができる。
【００２９】
各カバー３の、骨格材本体２への装着状態で凹部４側を向く内面には、骨格材本体２を構成する壁の先端壁部１３，１４，１５，１６または外壁部１８，１９の端部に対応して２つの係止片２６が一体に突設されている。これらの係止片２６は、カバー３の全長にわたって形成され、骨格材本体２のアンダーカット２２，２３に着脱自在に嵌合する。これにより、カバー３は骨格材本体２に着脱自在に取り付けることができる。
【００３０】
上記構成を備える本実施形態の骨格材１によれば、骨格材本体２に開放側を外向きにしてその全長にわたって延びる凹部４を設け、配線コードや管体等を骨格材本体２の側面側から入れ込めるようにしたので、配線コードや管体等の収納作業を簡便に行うことができるようになり、さらに当該凹部４をカバー３で閉鎖することで配線コードや管体の他、ビスやボルト等も隠すことができて美観を向上させることができるとともに内部の配線コードや管体を雨水等から保護することができる。
【００３１】
さらに、本実施形態のように、骨格材本体２を金属、特にアルミの押出形材で構成すれば、容易に製造することができかつ軽量である。
【００３２】
さらに、本実施形態のように、骨格材本体２を、互いに離間しかつ平行に延びる一対のフランジ部分２ａと、該一対のフランジ部分２ａを連結するウェブ部分２ｂとを有する断面Ｈ字形の部材とすれば、ウェブ部分２ｂを挟んで２つの広い収容空間Ｓを確保することができるとともに、ねじれに強い構造強度を得ることができる。また、この際、２つの収容空間Ｓのうち一方を配線コード用とし他方を管体用とすれば、ウェブ部分２ｂを介して電気系統と水系統を隔離することができ、安全性を高めることができる。
【００３３】
さらに、本実施形態のように、骨格材本体２を断面Ｈ字形の中空部を囲繞する壁で構成すれば、骨格材本体２の更なる軽量化を図ることができるとともに、後述するジョイント材３８を挿入するための空間を確保することができる。
【００３４】
さらに、本実施形態のように、各フランジ部分２ａの先端部にアンダーカット２２，２３を設け、カバー３の内面に当該アンダーカット２２，２３に着脱自在にそれぞれ嵌合する２つの係止片２６を設けることにより、骨格材本体２にカバー３を容易に装着することができる。
【００３５】
さらに、本実施形態のように、各フランジ部分２ａにアンダーカット２２，２３の外側で骨格材本体２の全長にわたって延びる突条２１を設け、この突条２１にカバー３の側端部が載置されるシート面２４，２５を形成すれば、カバー３の安定した装着姿勢を維持することができるとともに、収納空間Ｓ内への雨水の浸入を低減または防止することができる。
【００３６】
次いで、本発明の骨格材の一使用例として、図１に示した骨格材１を用いて構築される建屋について説明する。ここに図２は、本発明の一実施形態の建屋３０を示す斜視図であり、この建屋３０は、公園等に設置される屋根付きのシェルター（東屋）として使用することができる。
【００３７】
建屋３０は、対角配置された４本の柱材３１と、隣接する柱材３１間を連結し床を支持する裾材３２と、正面側および背面側で隣接する２本の柱材３１間に架け渡されるとともに相互に突き合わせ接合され、切妻状の屋根３３を支持する横架材としての２組の梁材３４と、側面視で隣接する２本の柱材３１間をつなぐ横架材としての桁材３５と、前後の梁材３４同士をつなぐ棟木材３６とを備えており、本実施形態では、柱材３１、梁材３４および桁材３５に上述した実施形態の骨格材１を適用している。屋根３３にはソーラーパネルが設置されている。
【００３８】
また、本実施形態の建屋３０は、図３に示すように、柱材３１、梁材３４および桁材３５を相互に接合するジョイント材３８を備えている。ジョイント材３８は、一端３９ａが柱材３１の骨格材本体２のＨ字形状の中空部に挿入されるとともにボルト等の締結具で該柱材３１に固定され、他端３９ｂが柱材３１から露出する第１部分３９と、一端４０ａが第１部分３９の他端３９ｂに斜めに接合され他端４０ｂが梁材３４の骨格材本体２のＨ字形状の中空部に挿入されるとともにボルト等の締結具で該梁材３４に固定される第２部分４０と、一端４１ａにおいて第１部分３９の他端３９ｂ近傍に直角に接合され、他端４１ｂが桁材３５の骨格材本体２のＨ字形状の中空部に挿入されるとともにボルト等の締結具で該桁材３５に固定される第３部分４１とを有するものでる。図中、符号ｈ１は、締結具が挿通される穴である。
【００３９】
ジョイント材３８の第１,第２,第３部分３９,４０,４１はそれぞれ、相互に平行に延びる一対のフランジ壁３９ｆ,４０ｆ,４１ｆとフランジ壁３９ｆ,４０ｆ,４１ｆの中間部を連結するウェブ壁３９ｗ,４０ｗ,４１ｗとからなるＨ字形状を有しており、第１部分３９のウェブ壁３９ｗと第２部分４０のウェブ壁４０ｗの接合部分には、桁材３５の骨格材本体２の上側の凹部４につながる開口４３が形成されている。これにより、柱材３１の収容空間Ｓと梁材３４の収容空間Ｓ、柱材３１の収容空間Ｓと桁材３５の収容空間Ｓ、桁材３５の収容空間Ｓと梁材３４の収容空間Ｓはジョイント材３８を介して相互に連通する。したがって、柱材３１、梁材３４および桁材３５間で相互に連通する収納空間Ｓを通じて、配線コードや管体を建屋３０内で自由にかつ外部から見えないように張り巡らせることができる。また、当該相互に連通する収納空間Ｓは建屋３０の換気等を目的とした通気路として機能させることもできる。
【００４０】
なお、図３においてはカバー３は省略されているが、カバー３は柱材３１、梁材３４および桁材３５をジョイント材３８で継ぎ合わせた後、図１で示したように骨格材本体２の側面に装着することができる。また、図３において、符号４５，４６で示す部材は、柱材３１、梁材３４および桁材３５をジョイント材３８で継ぎ合わせた際に柱材３１および梁材３４の間から露出するジョイント材３８の部分を隠蔽するく字形に屈曲した板状のカバー片であり、このカバー片４５，４６は、カバー３を装着する前段階でビス等の固定具により梁材３４、柱材３１およびジョイント材３８に固定することができる。図中、符号ｈ２は当該固定具が挿通される穴である。このようにして柱材３１、梁材３４および桁材３５とジョイント材３８とを固定する締結具並びにカバー片４５，４６を取り付ける固定具は、カバー３によって完全に隠蔽することができるため、美観を向上させるとともに締結具および固定具の劣化を防ぐことができる。
【００４１】
図４は、図２において一番手前にみえる柱材３１をカバー３を省略した状態で示し、（ａ）は側面図、（ｂ）は背面図であり、図５は図４（ａ）中のＡ−Ａ線に沿う断面図である。図４および図５に示すように、本実施形態において柱材３の２つの収容空間Ｓのうちの一方には、管体Ｐとしての雨樋、特に竪樋が収容されており、他方には建屋３０の照明装置や太陽光発電装置等の電気設備の配線コードＣが収容されている。管体Ｐ用の収容空間Ｓには、任意の高さ位置に複数の管体保持具４８が設けられている。管体保持具４８は、図５に示すように骨格材本体２の中央壁部６，７にボルト等の固定具で固定された受け具４８Ａと、該受け具４８Ａとの間に管体Ｐを挟み込むとともに受け具４８Ａにボルト等の締結具で締結される略Ｕ字帯状の押え具４８Ｂとを有するものである。このような管体保持具４８を収容空間Ｓ内に予め配設しておくことにより管体Ｐの装着、収容を容易に行うことができる。また、図示は省略するが、配線コード用の収納空間内にも配線コードを束ねて保持する保持具もしくはバンドを設けておいてもよい。
【００４２】
以上、図示例に基づき本発明を説明したが、本発明は前述の実施形態で説明したものに限定されない。例えば、前述の実施形態では、骨格材１は建屋３０の柱材３１、梁材３４または桁材３５を構成するものとして説明したがこれらに限定されず、街灯や看板等の支柱として用いてもよい。また、図示例では建屋３０として公園等に設置されるシェルターを示したがこれに限定されず、建屋にはカーポートや工場、一般住宅等も含まれる。
【産業上の利用可能性】
【００４３】
本発明の骨格材によれば、配線コードのみならず雨樋のような管体をも内部に収納でき、かつその収納作業を簡便に行うことができる。
【符号の説明】
【００４４】
１  骨格材
２  骨格材本体
３  カバー
４  凹部
６,７  中央壁部
８，９，１０，１１  内壁部
１３，１４，１５，１６  先端壁部
１８，１９  外壁部
２１  突条
２２，２３  アンダーカット
２４，２５  シート面
２６  係止片
３０  建屋
３１  柱材
３２  裾材
３３  屋根
３４  梁材
３５  桁材
３６  棟木材
３８  ジョイント材
３９  ジョイント材の第１部分
４０  ジョイント材の第２部分
４１  ジョイント材の第３部分
４５，４６  カバー片
４８  管体保持具
【図１】
2018003340.tif 000003
【図２】
2018003340.tif 000004
【図３】
2018003340.tif 000005
【図４】
2018003340.tif 000006
【図５】
2018003340.tif 000007